(57)【要約】【課題】  画像読取装置において、操作者による自由な条件設定を実現し、さらに煩雑な条件設定の作業を軽減することである。【解決手段】  操作部に対する操作者の操作に基づいて、読取動作に必要となる読取関連の設定項目及び送信動作に必要となる送信関連の設定項目を原稿画像の特徴毎に設定項目リストとして設定して（Ｓ４〜Ｓ６及びＳ８〜Ｓ１０）蓄積部に格納し、その後原稿画像の特徴を検知して、蓄積部に格納された原稿画像の特徴毎の設定項目リストからその原稿画像の特徴に対応する設定項目リストを選択し、その設定項目リストに基づいて、読取動作及び送信動作を実行することで、操作者による自由な条件設定を実現し、さらに煩雑な条件設定の作業を軽減することができる。【選択図】    図４
2006093781.tif 000002
【特許請求の範囲】
【請求項１】
原稿画像を光学的に読み取って電子化する読取動作を行う読取部と、
操作者による操作を受け付ける操作部と、
前記操作部に対する操作者の操作に基づいて、前記読取動作に必要となる読取関連の設定項目を前記原稿画像の特徴毎に設定項目リストとして設定する設定手段と、
前記設定手段により設定された前記原稿画像の特徴毎の前記設定項目リストを格納する蓄積部と、
前記原稿画像の特徴を検知する検知手段と、
前記蓄積部に格納された前記原稿画像の特徴毎の前記設定項目リストから、前記検知手段により検知された前記原稿画像の特徴に対応する前記設定項目リストを選択し、その設定項目リストに基づいて前記読取部に前記読取動作を実行させる実行手段と、
を備える画像読取装置。
【請求項２】
前記読取部により前記読取動作が行われた前記原稿画像を送信する送信動作を行う送信部を備え、
前記設定手段は、前記送信動作に必要となる送信関連の設定項目を前記原稿画像の特徴毎に前記設定項目リストとして設定し、
前記実行手段は、前記蓄積部に格納された前記原稿画像の特徴毎の前記設定項目リストから、前記検知手段により検知された前記原稿画像の特徴に対応する前記設定項目リストを選択し、その設定項目リストに基づいて前記送信部に前記送信動作を実行させる、
請求項１記載の画像読取装置。
【請求項３】
前記設定手段は、既に設定した前記設定項目リストを複製し、その一部を修正することで他の前記設定項目リストを設定する、
請求項１又は２記載の画像読取装置。
【請求項４】
前記設定手段は、既に設定した前記設定項目リストを基として、それとの差分だけを他の前記設定項目リストとして設定する、
請求項１又は２記載の画像読取装置。
【請求項５】
前記設定手段は、設定した他の前記設定項目リストから前記原稿画像の特徴に応じて必要としない前記設定項目を除外する、
請求項３又は４記載の画像読取装置。
【請求項６】
請求項１ないし５のいずれか一記載の画像読取装置と、
前記画像読取装置により読み取られた原稿画像に基づいて記録媒体に画像を形成する画像形成部と、
を備える画像形成装置。
【発明の詳細な説明】
【技術分野】
【０００１】
本発明は、画像読取装置及び画像形成装置に関する。
【背景技術】
【０００２】
現在、様々な機能を有する複合機などの画像形成装置が広い分野で用いられている。特に、複合機は、原稿からその画像を読み取るスキャナなどの画像読取装置を備えている。このように様々な機能を有する画像形成装置では、ユーザ（操作者）はそれらの機能を使うための条件設定を行う必要がある。したがって、機能が増えるほど、ユーザにとって選択可能な機能が増加するため、便利になる反面どのような条件設定をするべきか、様々な設定項目から希望する設定項目を選択する際などにその選択設定作業は非常に煩雑になる。これを防ぐためには、装置に予め条件設定の集まりを登録しておき、それを再度呼び出すことによって、ユーザが始めから条件設定しなくても、常に使用する条件設定を選択設定することが可能である。
【０００３】
ところが、呼び出せる条件設定の集まりは固定値のため、例えばカラー原稿とモノクロ原稿とが混在する複数の原稿をスキャナで読み取って電子化する場合、条件設定として「モノクロ」を選択してしまうと、カラー原稿もモノクロとして扱われ、逆に「カラー」を選んでしまうと、モノクロ原稿はカラー原稿に比べ情報量が少ないはずであるのに、その画像データはカラーの場合と同じ情報量を有することになり無駄である。
【０００４】
このような場合には、装置のセンサやデータ解析のアルゴリズム等により、カラー原稿とモノクロ原稿とが混在する複数の原稿を解析し、カラー原稿はカラーにふさわしい階調処理、モノクロ原稿はモノクロにふさわしい階調処理を行う。これにより、ユーザはモノクロ原稿とカラー原稿とを分ける作業をすることなく、一度の作業で希望する形式の画像データを取得することができる。このような方法としては、カラー原稿とモノクロ原稿を自動判別し、適切な画像処理を行う方法が提案されている（特許文献１参照）。
【０００５】
【特許文献１】特開２００１−６１０７０号公報
【発明の開示】
【発明が解決しようとする課題】
【０００６】
しかしながら、特許文献１では、自動判別の結果に応じて変更される画像の特徴は、色・階調や圧縮形式だけであり、例えば「原稿がカラーであればもっとデータ量を落としたいので解像度を下げたいが、原稿がモノクロであればそのままの解像度にしたい」というような場合に、それを解決することはできず、ユーザの希望を実現することができない。それを実現するためには、どうしても原稿の読み取りを行う単位で条件設定を変更する必要がある。
【０００７】
本発明の目的は、操作者による自由な条件設定を実現し、さらに煩雑な条件設定の作業を軽減することである。
【課題を解決するための手段】
【０００８】
請求項１記載の発明の画像読取装置は、原稿画像を光学的に読み取って電子化する読取動作を行う読取部と、操作者による操作を受け付ける操作部と、前記操作部に対する操作者の操作に基づいて、前記読取動作に必要となる読取関連の設定項目を前記原稿画像の特徴毎に設定項目リストとして設定する設定手段と、前記設定手段により設定された前記原稿画像の特徴毎の前記設定項目リストを格納する蓄積部と、前記原稿画像の特徴を検知する検知手段と、前記蓄積部に格納された前記原稿画像の特徴毎の前記設定項目リストから、前記検知手段により検知された前記原稿画像の特徴に対応する前記設定項目リストを選択し、その設定項目リストに基づいて前記読取部に前記読取動作を実行させる実行手段と、を備える。
【０００９】
請求項２記載の発明は、請求項１記載の画像読取装置において、前記読取部により前記読取動作が行われた前記原稿画像を送信する送信動作を行う送信部を備え、前記設定手段は、前記送信動作に必要となる送信関連の設定項目を前記原稿画像の特徴毎に前記設定項目リストとして設定し、前記実行手段は、前記蓄積部に格納された前記原稿画像の特徴毎の前記設定項目リストから、前記検知手段により検知された前記原稿画像の特徴に対応する前記設定項目リストを選択し、その設定項目リストに基づいて前記送信部に前記送信動作を実行させる。
【００１０】
請求項３記載の発明は、請求項１又は２記載の画像読取装置において、前記設定手段は、既に設定した前記設定項目リストを複製し、その一部を修正することで他の前記設定項目リストを設定する。
【００１１】
請求項４記載の発明は、請求項１又は２記載の画像読取装置において、前記設定手段は、既に設定した前記設定項目リストを基として、それとの差分だけを他の前記設定項目リストとして設定する。
【００１２】
請求項５記載の発明は、請求項３又は４記載の画像読取装置において、前記設定手段は、設定した他の前記設定項目リストから前記原稿画像の特徴に応じて必要としない前記設定項目を除外する。
【００１３】
請求項６記載の発明の画像形成装置は、請求項１ないし５のいずれか一記載の画像読取装置と、前記画像読取装置により読み取られた原稿画像に基づいて記録媒体に画像を形成する画像形成部と、を備える。
【発明の効果】
【００１４】
請求項１記載の発明によれば、操作者による自由な条件設定を実現し、さらに煩雑な条件設定の作業を軽減することができる。
【００１５】
請求項２，３又は４記載の発明によれば、読取関連の設定項目及び送信関連の設定項目の設定を簡略化することができる。
【００１６】
請求項５記載の発明によれば、請求項１ないし４のいずれか一記載の発明と同様な効果を奏する。
【発明を実施するための最良の形態】
【００１７】
本発明を実施するための最良の一形態を図面に基づいて説明する。本実施の形態は、画像形成装置に画像読取装置を適応した適応例である。本実施の形態の画像形成装置はフルカラーの複合機である。
【００１８】
図１は本実施の形態の複合機１の内部構造を示す縦断正面図である。
【００１９】
図１に示すように、複合機１の装置本体２の中央部には、カラー画像を形成するための画像形成部であるプリンタエンジン３が設けられている。このプリンタエンジン３は、等間隔に離間させて水平向きに並列に配設された４つのドラム状の感光体４、各感光体４の外周面を一様に帯電する帯電ローラ５、帯電ローラ５により帯電された各感光体４の外周面を画像データに応じて露光することにより静電潜像を形成する露光装置６、静電潜像にトナーを供給することにより静電潜像をトナー画像として顕像化する現像装置７、各感光体４上のトナー画像が順次転写される中間転写ベルト８、中間転写ベルト８上へのトナー画像の転写後に各感光体４上に残留したトナーを除去するクリーニング装置９、中間転写ベルト８上に転写されたトナー画像を記録媒体Ｓに転写させる転写ローラ１０等により構成されている。なお、４つの感光体４上にはそれぞれ異なる色のトナー画像（Ｙ；イエロー、Ｍ；マゼンタ、Ｃ；シアン、Ｋ；ブラック）が形成され、これらの各色のトナー画像が中間転写ベルト８上に順次転写されることにより中間転写ベルト８上にカラーのトナー画像が形成され、このカラーのトナー画像が記録媒体Ｓに転写される。
【００２０】
装置本体２の上部には、原稿を自動送りするＡＤＦ１１と、原稿が載置されるコンタクトガラス１２と、ＡＤＦ１１で自動送りされた原稿又はコンタクトガラス１２上に載置された原稿を読取る画像読取部１３とが配置されている。
【００２１】
画像読取部１３は、光を発光する光源１４及び第１ミラー１５を搭載する第１走行体１６、第２ミラー１７及び第３ミラー１８を搭載する第２走行体１９、結像レンズ２０を介して第１〜第３ミラー１５，１７，１８によって導かれる光を受光するＣＣＤ（Charge Coupled Device）イメージセンサ２１等によって構成されている。ＣＣＤイメージセンサ２１は、ＣＣＤイメージセンサ２１上に結像される原稿からの反射光を光電変換することで光電変換データを生成する光電変換素子として機能する。光電変換データは、原稿からの反射光の強弱に応じた大きさを有する電圧値である。第１走行体１６及び第２走行体１９は、コンタクトガラス１２に沿って往復動自在に設けられており、原稿画像の読取動作に際して、モータ等の移動装置（図示せず）によって２：１の速度比で副走査方向にスキャニング走行する。これにより、画像読取部１３による原稿読取領域の露光走査が行われる。
【００２２】
装置本体２の下部には、記録媒体Ｓを収納する複数段、例えば４段の用紙カセット２２が設けられている。これらの用紙カセット２２内に収納された記録媒体Ｓはピックアップローラ２３とフィードローラ２４とにより一枚ずつ分離給紙され、分離給紙された記録媒体Ｓは装置本体２の内部に設けられた用紙搬送路２５に沿って搬送される。この用紙搬送路２５上には、レジストローラ２６、転写ローラ１０、定着装置２７、排紙ローラ２８等が配置されている。
【００２３】
レジストローラ２６は、記録媒体Ｓの搬送タイミングと中間転写ベルト８への画像形成タイミングとに応じて間欠的に回転駆動される。そして、レジストローラ２６は、回転を停止することにより用紙搬送路２５を搬送される記録媒体Ｓを一旦停止させ、回転することにより記録媒体Ｓを送り出す。レジストローラ２６の回転により送り出された記録媒体Ｓは、中間転写ベルト８と転写ローラ１０とにより挟持される転写位置に送り込まれる。
【００２４】
定着装置２７は、定着ローラ２７ａ及び加圧ローラ２７ｂにより、トナー画像が転写された記録媒体Ｓに対して熱及び圧力を加えることによってトナー画像を記録媒体Ｓに定着させる。排紙ローラ２８はその記録媒体Ｓを排紙トレイ２９に排紙する。
【００２５】
なお、本実施の形態では、プリンタエンジン３が電子写真方式で画像形成を行うが、これに限るものではなく、例えば、インクジェット方式、昇華型熱転写方式、直接感熱記録方式等の画像形成方式で画像形成を行うようにしても良い。
【００２６】
図２は複合機１が備える各部の電気的な接続を概略的に示すブロック図である。
【００２７】
図２に示すように、複合機１は、各部を集中的に制御するＣＰＵ３１、各種プログラム等の固定データを記憶しているＲＯＭ３２、ＣＰＵ３１の作業エリアとなるＲＡＭ３３及び各種データを記憶する不揮発性メモリ３４がバス３５により接続されている。バス３５には、プリンタエンジン３、画像読取部１３、画像読取部１３により読み取られた画像データ等を格納するＨＤＤ等の蓄積部３６、操作部３７、及び、ネットワーク３８を介してパーソナルコンピュータやサーバ等の外部装置（図示せず）との通信を行うためのネットワークＩ／Ｆ（インターフェース）３９等が各種のコントローラ（図示せず）を介して接続されている。なお、ネットワークＩ／Ｆ３９やそのコントローラが送信部として機能する。
【００２８】
蓄積部３６には、設定処理プログラム等の各種のプログラムや設定項目リスト（詳しくは後述する）が格納（記憶）されている。ここで、蓄積部３６に格納されているプログラムは、ＣＰＵ３１の制御によりネットワークＩ／Ｆ３９を介して外部装置からダウンロードされるプログラムに書換え可能である。また、複合機１は、複合機１と外部装置（図示せず）との間でネットワーク３８を介してデータを送受信する機能を有しており、ファクシミリのモデム機能、公衆電話回線網に接続するための網制御機能、ＬＡＮ（Local Area Network）制御機能等を備えている。
【００２９】
操作部３７は、テンキーや表示器としても機能するタッチスクリーン等から構成されており、操作者（ユーザ）からの操作を受け付ける。ここで、タッチスクリーンに表示される画面の一例として図３を参照して説明する。図３はタッチスクリーンの画面の一例を示す平面図である。
【００３０】
図３に示すように、タッチスクリーンの画面には、複合機１の動作モード（例えばプリントモードやスキャナモード等）、読取関連の設定項目を設定するためのキー４１、送信関連の設定項目を設定するためのキー４２、ネットワーク３８を介して画像データを送信する送信先を設定するためのキー４３等が表示される。操作者はそれらのキー４１，４２，４３を押下することによって各種の設定を行う。
【００３１】
このような構成において、複合機１が行う画像形成動作及び画像送信動作について説明する。
【００３２】
複合機１は、画像形成動作として、コンタクトガラス１２上に載置された原稿の画像又はＡＤＦ１１により自動送りされた原稿の画像を画像読取部１３により光学的に読み取り、その画像データに基づいてプリンタエンジン３で電子写真プロセスによる画像形成を行い、そのトナー画像を用紙カセット２２から用紙搬送路２５を経て搬送された記録媒体Ｓに転写し、記録媒体Ｓの転写画像を定着装置２７で加熱及び加圧することにより定着させて排紙トレイ２９に排紙する。なお、用紙搬送路２５上を搬送された記録媒体Ｓはレジストローラ２６によりタイミングを計られて中間転写ベルト８と転写ローラ１０との間の転写位置に送り込まれる。
【００３３】
一方、複合機１は、画像送信動作として、コンタクトガラス１２上に載置された原稿の画像又はＡＤＦ１１により自動送りされた原稿の画像を画像読取部１３により読み取り、その画像データをネットワークＩ／Ｆ３９を介して外部装置に送信する。このとき、読取関連の設定項目及び送信関連の設定項目（設定項目リスト）は設定項目リストとして設定され、蓄積部３６に格納されている。設定項目リストとしては、カラーの場合の設定項目リスト及びモノクロの場合の設定項目リストが蓄積部３６に格納されている。
【００３４】
このような画像送信動作において、複合機１は、原稿がカラー（原稿画像の特徴）であるか否かを判断し、原稿画像がカラーである場合には、カラーの場合の設定項目リストに基づいて画像の読取及び送信を行い、原稿画像がモノクロである場合には、モノクロの場合の設定項目リストに基づいて画像の読取及び送信を行う（実行手段）。ここでは、原稿としてカラー原稿とモノクロ原稿とがある場合のカラーを原稿画像の特徴とする。なお、本実施の形態では、原稿画像の特徴として色（カラー）を用いているが、これに限るものではなく、例えば原稿として文字の原稿と写真の原稿とがある場合の文字又は写真のどちらか一方を原稿画像の特徴としても良く、また、原稿に対する文字又は写真等の占有率が所定の閾値以上又は以下である場合のどちらか一方を原稿画像の特徴としても良い。
【００３５】
ここで、ＣＰＵ３１が蓄積部３６に格納されている設定処理プログラムに基づいて設定項目リストを設定する設定処理（設定手段）について図４ないし図８を参照して説明する。
【００３６】
図４は設定処理の流れを示すフローチャート、図５は設定項目リストのデータ構造を示し、（ａ）はカラーの場合の設定項目リストを示す模式図、（ｂ）はモノクロの場合の設定項目リストを示す模式図である。
【００３７】
図４に示すように、まず、ＣＰＵ３１は、キー４１に対する操作者の操作による読取条件としての「自動カラー」の選択に待機する（ステップＳ１のＮ）。操作者により「自動カラー」が選択されると（ステップＳ１のＹ）、操作者の指示（操作部３７に対する操作者の操作による指示）で原稿の読み取りを行い（ステップＳ２）、原稿がカラーであるか否かを判別する（ステップＳ３：検知手段）。すなわち、原稿がカラーであるかモノクロであるかを自動的に判別する。例えば、カラー原稿と判定された原稿の画像データは２４ｂｉｔのフルカラー画像となり、モノクロ原稿と判定された原稿の画像データは１ｂｉｔの白黒単純二値となるため、その違いを検出することで原稿がカラーであるかモノクロであるかを自動的に判別する。
【００３８】
原稿がカラーであると判別した場合には（ステップＳ３のＹ）、キー４１に対する操作者の操作に基づいてカラーの場合の読取関連の設定項目を設定する（ステップＳ４）。図５（ａ）に示すように、例えば、解像度を２００ｄｐｉに設定する。その後、送信関連の設定項目も設定するか否かを判断する（ステップＳ５）。送信関連の設定項目も設定すると判断した場合には（ステップＳ５のＹ）、キー４２に対する操作者の操作に基づいてカラーの場合の送信関連の設定項目を設定する（ステップＳ６）。図５（ａ）に示すように、例えば、ファイル形式をＪｐｅｇ形式にする。なお、図５（ａ）に示すように、設定項目リストは、識別子を有する複数の設定項目から構成されている。それらの設定項目は、例えば読取関連や送信関連のようにカテゴリ分けされている。
【００３９】
最後に、各種の設定が完了したか否かを判断し（ステップＳ７）、各種の設定が完了したと判断した場合には（ステップＳ７のＹ）、処理は終了する。各種の設定が完了していないと判断した場合には（ステップＳ７のＮ）、処理はステップＳ２に戻る。
【００４０】
一方、原稿がモノクロであると判別した場合には（ステップＳ３のＮ）、キー４１に対する操作者の操作に基づいてモノクロの場合の読取関連の設定項目を設定する（ステップＳ８）。図５（ｂ）に示すように、例えば、解像度を４００ｄｐｉに設定する。その後、送信関連の設定項目も設定するか否かを判断する（ステップＳ９）。送信関連の設定項目も設定すると判断した場合には（ステップＳ９のＹ）、キー４２に対する操作者の操作に基づいてモノクロの場合の送信関連の設定項目を設定する（ステップＳ１０）。図５（ｂ）に示すように、例えば、ファイル形式をＴＩＦＦ形式にする。
【００４１】
最後に、各種の設定が完了したか否かを判断し（ステップＳ７）、各種の設定が完了したと判断した場合には（ステップＳ７のＹ）、処理は終了する。各種の設定が完了していないと判断した場合には（ステップＳ７のＮ）、処理はステップＳ２に戻る。
【００４２】
このようにしてカラーの場合の設定項目リスト及びモノクロの場合の設定項目リストが設定され、蓄積部３６に格納される。その後、それらの設定項目リストに基づいて原稿画像の読取及び送信が行われる。
【００４３】
このように本実施の形態によれば、操作者により「自動カラー」が選択されることで、色・階調は自動的に検知されて切替えられ（カラー又はモノクロ）、その色・階調（カラー又はモノクロ）に応じて設定項目リストは選択される。すなわち、設定項目リストは操作者により自由に変更され、その設定項目リストは画像読取時や画像送信時などに自動的に使用されるため、操作者による自由な条件設定を実現し、さらに煩雑な条件設定の作業を軽減することができる。
【００４４】
ここで、最初の原稿がカラーであり、次の原稿がモノクロである場合の設定処理（複製設定処理）について図４及び図６を参照して説明する。
【００４５】
図６は設定項目リストのデータ構造を示し、（ａ）はカラーの場合の設定項目リストを示す模式図、（ｂ）は修正前のモノクロの場合の設定項目リストを示す模式図、（ｃ）は修正後のモノクロの場合の設定項目リストを示す模式図である。
【００４６】
最初の原稿がカラーであるため、図４に示すように、ステップＳ３で処理はステップＳ４に進む。ステップＳ４、ステップＳ５及びステップＳ６が実行され、図６（ａ）に示すようなカラーの場合の設定項目リスト、すなわち読取関連の設定項目及び送信関連の設定項目が設定される。
【００４７】
次いで、次の原稿がモノクロであるため、図４に示すように、ステップＳ３で処理はステップＳ８に進む。ステップＳ８、ステップＳ９及びステップＳ１０が実行され、図６（ｃ）に示すようなカラーの場合の設定項目リスト、すなわち読取関連の設定項目及び送信関連の設定項目が設定される。
【００４８】
このとき、ステップＳ８では、図６（ａ）に示すようなカラーの場合の読取関連の設定項目を複製し、図６（ｂ）に示すようなモノクロの場合の読取関連の設定項目として設定する。そして、その一部を修正（変更）する。例えば、図６（ｃ）に示すように、解像度を２００ｄｐｉから４００ｄｐｉと修正する。
【００４９】
同様に、ステップＳ１０では、図６（ａ）に示すようなカラーの場合の送信関連の設定項目を複製し、図６（ｂ）に示すようなモノクロの場合の送信関連の設定項目として設定する。そして、その一部を修正（変更）する。例えば、図５（ｃ）に示すように、ファイル形成をＪｐｅｇ形式からＴＩＦＦ形式に修正する。
【００５０】
このようにして、既に設定した設定項目リストを複製し、その一部を修正することによって、設定項目リストの作成を簡略化することができる。なお、最初の画像がモノクロであり、次の画像がカラーである場合でも、同様にモノクロの場合の設定項目リストをカラーの場合の設定項目リストとして複製して、その一部を修正することで、設定項目リストの作成を簡略化することができる。
【００５１】
ここでは、複製設定処理により設定項目リストの作成を簡略化するようにしているが、これに限るものではない。例えば、差分設定処理により設定項目リストの作成を簡略化するようにしても良い。
【００５２】
ここで、最初の原稿がカラーであり、次の原稿がモノクロである場合の設定処理（差分設定処理）について図４及び図７を参照して説明する。
【００５３】
図７は設定項目リストのデータ構造を示し、（ａ）はカラーの場合の設定項目リストを示す模式図、（ｂ）は差分後のモノクロの場合の設定項目リストを示す模式図、（ｃ）はユーザ認識のモノクロの場合の設定項目リストを示す模式図である。
【００５４】
最初の原稿がカラーであるため、図４に示すように、ステップＳ３で処理はステップＳ４に進む。ステップＳ４、ステップＳ５及びステップＳ６が実行され、図７（ａ）に示すようなカラーの場合の設定項目リスト、すなわち読取関連の設定項目及び送信関連の設定項目が設定される。
【００５５】
次いで、次の原稿がモノクロであるため、図４に示すように、ステップＳ３で処理はステップＳ８に進む。ステップＳ８、ステップＳ９及びステップＳ１０が実行され、図７（ｂ）に示すようなカラーの場合の設定項目リスト、すなわち読取関連の設定項目及び送信関連の設定項目が設定される。
【００５６】
このとき、既に設定された設定項目リストが存在していれば、その設定項目リストを基準にしてそれとの差分（異なる設定項目）だけが設定項目リストとして設定される。
【００５７】
すなわち、ステップＳ８では、図７（ａ）に示すようなカラーの場合の設定項目リストを基準となる設定項目リストとして、それとの差分（異なる設定項目）を図７（ｂ）に示すようなモノクロの場合の読取関連の設定項目として設定する。例えば、図７（ｂ）に示すように、解像度を４００ｄｐｉに設定する。
【００５８】
同様に、ステップＳ１０では、図７（ａ）に示すようなカラーの場合の設定項目リストを基準となる設定項目リストとして、それとの差分（異なる設定項目）を図７（ｂ）に示すようなモノクロの場合の送信関連の設定項目として設定する。例えば、図７（ｂ）に示すように、ファイル形成をＴＩＦＦ形式に設定する。なお、操作者は概念上図７（ｃ）に示すようなモノクロの場合の設定項目リストを認識することになる。
【００５９】
このように既に設定された設定項目リストを基準にしてそれとの差分（異なる設定項目）だけを設定項目リストとして設定することよって、設定項目リストの作成を簡略化することができる。
【００６０】
なお、原稿がカラーであるかモノクロであるかを検知する検知結果に応じて自動的に複数の設定項目リストを切り替えるときに、既出の設定項目リストに対して前述したような複製設定処理や差分設定処理を行う場合には、検知結果に応じて設定する設定項目に矛盾が発生することがある。このような場合には、その設定項目を自動的に機能ＯＦＦし、もしくは適切なデフォルト値に置き換える。
【００６１】
ここで、矛盾が発生する設定項目を機能ＯＦＦにする場合の差分設定処理について図４及び図８を参照して説明する。図８は設定項目リストのデータ構造を示し、（ａ）はカラーの場合の設定項目リストを示す模式図、（ｂ）は差分後のモノクロの場合の設定項目リストを示す模式図、（ｃ）はユーザ認識のモノクロの場合の設定項目リストを示す模式図である。
【００６２】
最初の原稿がカラーであるため、図４に示すように、ステップＳ３で処理はステップＳ４に進む。ステップＳ４、ステップＳ５及びステップＳ６が実行され、図８（ａ）に示すようなカラーの場合の設定項目リスト、すなわち読取関連の設定項目及び送信関連の設定項目が設定される。
【００６３】
次いで、次の原稿がモノクロであるため、図４に示すように、ステップＳ３で処理はステップＳ８に進む。ステップＳ８、ステップＳ９及びステップＳ１０が実行され、図８（ｂ）に示すようなカラーの場合の設定項目リスト、すなわち読取関連の設定項目及び送信関連の設定項目が設定される。
【００６４】
このとき、既に設定された設定項目リストが存在していれば、その設定項目リストを基準にしてそれとの差分（異なる設定項目）だけが設定項目リストとして設定される。
【００６５】
すなわち、ステップＳ８では、図８（ａ）に示すようなカラーの場合の設定項目リストを基準となる設定項目リストとして、それとの差分（異なる設定項目）を図８（ｂ）に示すようなモノクロの場合の読取関連の設定項目として設定する。例えば、図８（ｂ）に示すように、解像度を４００ｄｐｉに設定し、色消去を機能しないに設定する。このとき、図８（ａ）に示すようなカラーの場合の設定項目リストには、読取関連の設定項目として「色消去」がある。この色除去という機能は、カラーデータの１色又は複数色を消去する機能であり、カラーの場合のみ有効な機能である。この色除去という機能は、モノクロデータに対して意味をなさない、すなわち無効な機能であるため、色除去を機能しないように設定する。
【００６６】
同様に、ステップＳ１０では、図８（ａ）に示すようなカラーの場合の設定項目リストを基準となる設定項目リストとして、それとの差分（異なる設定項目）を図８（ｂ）に示すようなモノクロの場合の送信関連の設定項目として設定する。例えば、図８（ｂ）に示すように、ファイル形成をＴＩＦＦ形式に設定する。なお、操作者は概念上図８（ｃ）に示すようなモノクロの場合の設定項目リストを認識することになる。
【００６７】
このように必要としない設定項目を無効にすることによって、正確な設定項目リストを作成することができる。
【図面の簡単な説明】
【００６８】
【図１】本発明の実施の一形態の複合機の内部構造を示す縦断正面図である。
【図２】複合機が備える各部の電気的な接続を概略的に示すブロック図である。
【図３】タッチスクリーンの画面の一例を示す平面図である。
【図４】設定処理の流れを示すフローチャートである。
【図５】設定項目リストのデータ構造を示し、（ａ）はカラーの場合の設定項目リストを示す模式図、（ｂ）はモノクロの場合の設定項目リストを示す模式図である。
【図６】設定項目リストのデータ構造を示し、（ａ）はカラーの場合の設定項目リストを示す模式図、（ｂ）は修正前のモノクロの場合の設定項目リストを示す模式図、（ｃ）は修正後のモノクロの場合の設定項目リストを示す模式図である。
【図７】設定項目リストのデータ構造を示し、（ａ）はカラーの場合の設定項目リストを示す模式図、（ｂ）は差分後のモノクロの場合の設定項目リストを示す模式図、（ｃ）はユーザ認識のモノクロの場合の設定項目リストを示す模式図である。
【図８】設定項目リストのデータ構造を示し、（ａ）はカラーの場合の設定項目リストを示す模式図、（ｂ）は差分後のモノクロの場合の設定項目リストを示す模式図、（ｃ）はユーザ認識のモノクロの場合の設定項目リストを示す模式図である。
【符号の説明】
【００６９】
１          画像形成装置（複合機）
３          画像形成部（プリンタエンジン）
１３        読取部（画像読取部）
３６        蓄積部
３７        操作部
３９        送信部（ネットワークＩ／Ｆ、コントローラ）
Ｓ          記録媒体
【図１】
2006093781.tif 000003
【図２】
2006093781.tif 000004
【図３】
2006093781.tif 000005
【図４】
2006093781.tif 000006
【図５】
2006093781.tif 000007
【図６】
2006093781.tif 000008
【図７】
2006093781.tif 000009
【図８】
2006093781.tif 000010